(57)【要約】【課題】ダイバーシティ機能を有し、かつ、比較的小型の状態でより高い指向性を実現できるアンテナシステムを提供することを目的とする。【解決手段】電波の略１／４波長の電気長を有する第１のアンテナ素子と、第１のアンテナ素子と略１／４波長離れた位置に配置され、略１／４波長の電気長を有する第２のアンテナ素子と、第１のアンテナ素子、及び第２のアンテナ素子に給電可能な給電源と、第１のアンテナ素子と給電源とが電気的に接続された状態、及び第２のアンテナ素子と給電源とが電気的に接続された状態、の２つの状態の何れか一方の状態を選択可能であり、２つの状態を切り換え可能なスイッチと、スイッチと第１のアンテナ素子とを電気的に接続する第１の給電線路と、スイッチと第２のアンテナ素子とを電気的に接続する第２の給電線路と、を備え、第１の給電線路の電気長と、第２の給電線路の電気長とは、略１／４波長の電気長である。【選択図】図１
2014075725.tif 000002
【特許請求の範囲】
【請求項１】
受信若しくは送信する電波の略１／４波長の電気長を有する第１のアンテナ素子と、
前記第１のアンテナ素子と前記略１／４波長離れた位置に配置され、前記略１／４波長の電気長を有する第２のアンテナ素子と、
前記第１のアンテナ素子、及び前記第２のアンテナ素子に給電可能な給電源と、
前記第１のアンテナ素子と前記給電源とが電気的に接続された状態、及び前記第２のアンテナ素子と前記給電源とが電気的に接続された状態、の２つの状態の何れか一方の状態を選択可能であり、前記２つの状態を切り換え可能なスイッチと、
前記スイッチと前記第１のアンテナ素子とを電気的に接続する第１の給電線路と、
前記スイッチと前記第２のアンテナ素子とを電気的に接続する第２の給電線路と、を備え、
前記第１の給電線路の電気長と、前記第２の給電線路の電気長とは、前記略１／４波長の電気長である、
アンテナシステム。
【請求項２】
前記第１の給電線路に挿入された第１のインダクタンスと、
前記第２の給電線路に挿入された第２のインダクタンスと、をさらに備え、
前記第１のアンテナ素子と、前記第２のアンテナ素子とは、２種類の波長の電波に対応した２つの領域からなっており、
前記第１の給電線路は、前記第１のインダクタンスにより、前記２種類の波長の電波に対応した電気長に分割され、
前記第２の給電線路は、前記第２のインダクタンスにより、前記２種類の波長の電波に対応した電気長に分割される、
請求項１に記載のアンテナシステム。
【請求項３】
受信若しくは送信する電波の略１／４波長の電気長を有する第１のアンテナ素子と、
前記第１のアンテナ素子と前記略１／４波長離れた位置に配置され、前記略１／４波長の電気長を有する第２のアンテナ素子と、
前記第１のアンテナ素子、及び前記第２のアンテナ素子に給電可能な給電源と、
前記第１のアンテナ素子を１／４波長モノポールアンテナとして機能させ、かつ前記第２のアンテナ素子を１／２波長ダイポールアンテナとして機能させる状態、及び前記第１のアンテナ素子を１／２波長ダイポールアンテナとして機能させ、かつ前記第２のアンテナ素子を１／４波長モノポールアンテナとして機能させる状態、の２つの状態の何れか一方の状態を選択可能であり、前記２つの状態を切り替え可能なスイッチと、
前記スイッチと前記第１のアンテナ素子とを電気的に接続する第１の給電線路と、
前記スイッチと前記第２のアンテナ素子とを電気的に接続する第２の給電線路と、を備え、
前記第１の給電線路の電気長と、前記第２の給電線路の電気長とは、前記略１／４波長の電気長である、
アンテナシステム。
【発明の詳細な説明】
【技術分野】
【０００１】
本開示の技術は、アンテナシステムに関する。
【背景技術】
【０００２】
特許文献１は、アンテナ装置を開示する。このアンテナ装置は、所定の長さを有して誘電性の基板上に配置された導電性の励振素子と、半導電性のプラスチックから成る無給電素子と、この無給電素子に接続された制御電極とを備え、この制御電極に供給する直流バイアス電圧を制御して無給電素子を絶縁性又は／及び導電性に切り換える。
【０００３】
これにより、このアンテナ装置は、大型化及び高コスト化を招くことなく、指向性／無指向性、放射偏波、放射方向を所望の状態に制御できる。
【先行技術文献】
【特許文献】
【０００４】
【特許文献１】特開２００７−０１３６９２号公報
【発明の概要】
【発明が解決しようとする課題】
【０００５】
本開示の技術は、ダイバーシティ機能を有し、かつ、比較的小型の状態でより高い指向性を実現できるアンテナシステムを提供することを目的とする。
【課題を解決するための手段】
【０００６】
上記課題を解決するために、本開示の技術に係るアンテナシステムは、受信若しくは送信する電波の略１／４波長の電気長を有する第１のアンテナ素子と、第１のアンテナ素子と略１／４波長離れた位置に配置され、略１／４波長の電気長を有する第２のアンテナ素子と、第１のアンテナ素子、及び第２のアンテナ素子に給電可能な給電源と、第１のアンテナ素子と給電源とが電気的に接続された状態、及び第２のアンテナ素子と給電源とが電気的に接続された状態、の２つの状態の何れか一方の状態を選択可能であり、２つの状態を切り換え可能なスイッチと、スイッチと第１のアンテナ素子とを電気的に接続する第１の給電線路と、スイッチと第２のアンテナ素子とを電気的に接続する第２の給電線路と、を備え、第１の給電線路の電気長と、第２の給電線路の電気長とは、略１／４波長の電気長である。
【０００７】
また、上記課題を解決するために、本開示の技術に係るアンテナシステムは、受信若しくは送信する電波の略１／４波長の電気長を有する第１のアンテナ素子と、第１のアンテナ素子と略１／４波長離れた位置に配置され、略１／４波長の電気長を有する第２のアンテナ素子と、第１のアンテナ素子、及び第２のアンテナ素子に給電可能な給電源と、第１のアンテナ素子を１／４波長モノポールアンテナとして機能させ、かつ第２のアンテナ素子を１／２波長ダイポールアンテナとして機能させる状態、及び第１のアンテナ素子を１／２波長ダイポールアンテナとして機能させ、かつ第２のアンテナ素子を１／４波長モノポールアンテナとして機能させる状態、の２つの状態の何れか一方の状態を選択可能であり、２つの状態を切り替え可能なスイッチと、スイッチと第１のアンテナ素子とを電気的に接続する第１の給電線路と、スイッチと第２のアンテナ素子とを電気的に接続する第２の給電線路と、を備え、第１の給電線路の電気長と、第２の給電線路の電気長とは、略１／４波長の電気長である。
【発明の効果】
【０００８】
本開示の技術によれば、ダイバーシティ機能を有し、かつ、比較的小型の状態でより高い指向性を実現できるアンテナシステムを提供できる。
【図面の簡単な説明】
【０００９】
【図１】実施形態１に係るアンテナシステムが実装された基板の上面図
【図２】実施形態１に係るアンテナシステムの構成を示す模式図
【図３】実施形態１に係るアンテナシステムの動作原理を説明するための模式図
【図４】実施形態１に係るアンテナシステムの動作原理を説明するための模式図
【図５】実施形態１に係るアンテナシステムの指向性に関するシミュレーション結果を示す図
【図６】比較対象のアンテナシステムの構成を示す模式図
【図７】比較対象のアンテナシステムの動作原理を説明するための模式図
【図８】比較対象のアンテナシステムの指向性に関するシミュレーション結果を示す図
【図９】実施形態２に係るアンテナシステムの構成を示す模式図
【発明を実施するための形態】
【００１０】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面および以下の説明を提供するのであって、これらによって特許請求の範囲に記載の主題を限定することを意図するものではない。
【００１２】
１．施形態１
本開示の技術を無線ＬＡＮに用いられるアンテナシステムに適用した実施形態１について図面を用いて説明する。
【００１３】
１−１．概要
本実施形態に係るアンテナシステムについて図１を用いて説明する。図１は、本実施形態に係るアンテナシステムが実装された基板の上面図である。基板１００は、音声データを再生可能なオーディオプレーヤや、映像データを再生可能なＢＤプレーヤ等に組み込まれる。基板１００が組み込まれた装置は、基板１００に実装されているアンテナシステムを介して、モバイル端末やパーソナルコンピュータ等の外部装置から音声データや映像データを受信できる。また、基板１００が組み込まれた装置は、外部装置に音声データや映像データを送信できる。特に、基板１００は、周波数が２．４（ＧＨｚ）の電波の送受信を行う。
【００１４】
基板１００は、アンテナ素子１１１、アンテナ素子１１２の２つのアンテナ素子を有する。アンテナ素子１１１、アンテナ素子１１２は、高周波スイッチ１１５を介して無線ＬＡＮ＿ＬＳＩ１１６に接続されている。無線ＬＡＮ＿ＬＳＩ１１６は、アンテナ素子１１１若しくはアンテナ素子１１２のうち電波の受信状態がより良いアンテナ素子を給電源と接続するよう高周波スイッチ１１５を制御する。つまり、本実施形態に係るアンテナは、ダイバーシティ機能を有する。
【００１５】
本実施形態に係るアンテナシステムは、ダイバーシティ機能を有し、かつ、比較的小型の状態でより高い指向性を実現できる。
【００１６】
１−２．アンテナシステム
１−２−１．本実施形態に係るアンテナシステムの構成
本実施形態に係るアンテナシステムの構成について図２を用いて説明する。図２は、本実施形態に係るアンテナシステムの構成（図１における破線で囲まれた部分）を示す模式図である。
【００１７】
アンテナシステム１１０は、アンテナ素子１１１、アンテナ素子１１２、コプレーナ線路１１３、コプレーナ線路１１４、高周波スイッチ１１５、入出力端子１２６及び交流電源１２７を有する。
【００１８】
ここで、アンテナ素子１１１のグランドからの電気長とアンテナ素子１１２のグランドからの電気長とは、受信若しくは送信する電波の波長の１／４波長となっている。また、アンテナ素子１１１とアンテナ素子１１２との間の距離は、１／４波長となっている。また、コプレーナ線路１１３の電気長とコプレーナ線路１１４の電気長とは、１／４波長となっている。
【００１９】
また、アンテナ素子１１１は、コプレーナ線路１１３を介して高周波スイッチ１１５と電気的に接続されている。アンテナ素子１１２は、コプレーナ線路１１４を介して高周波スイッチ１１５と電気的に接続されている。高周波スイッチ１１５は、入出力端子１２６を介して交流電源１２７と電気的に接続されている。
【００２０】
無線ＬＡＮ＿ＬＳＩ１１６が高周波スイッチ１１５を制御することで、アンテナ素子１１１は、交流電源１２７と電気的に接続した状態と、交流電源１２７と電気的に接続されていない状態とを切り換えられる。交流電源１２７と電気的に接続されると、アンテナ素子１１１は、１／４波長モノポールアンテナとして機能する。
【００２１】
また、無線ＬＡＮ＿ＬＳＩ１１６が高周波スイッチ１１５を制御することで、アンテナ素子１１２は、交流電源１２７と電気的に接続した状態と、電気的に接続されていない状態とを切り換えられる。交流電源１２７と電気的に接続されると、アンテナ素子１１２は、１／４波長モノポールアンテナとして機能する。
【００２２】
なお、アンテナ素子１１１が１／４波長モノポールアンテナとして機能している場合には、アンテナ素子１１２は、１／４波長モノポールアンテナとして機能しない。一方、アンテナ素子１１２が１／４波長モノポールアンテナとして機能している場合には、アンテナ素子１１１は、１／４波長モノポールアンテナとして機能しない。
【００２３】
なお、コプレーナ線路１１３とコプレーナ線路１１４とは、５０（Ω）のインピーダンスとなるように線幅及びグランドとの境界が調整されている。
【００２４】
１−２−２．用語の対応
アンテナ素子１１１は第１のアンテナ素子の一例である。アンテナ素子１１２は第２のアンテナ素子の一例である。交流電源１２７は給電源の一例である。高周波スイッチ１１５はスイッチの一例である。コプレーナ線路１１３は第１の給電線路の一例である。コプレーナ線路１１４は第２の給電線路の一例である。
【００２５】
１−２−３．本実施形態に係るアンテナシステムの動作原理
次に、本実施形態に係るアンテナシステムの動作原理について図３、図４を用いて説明する。図３、図４は、本実施形態に係るアンテナシステムの動作原理を説明するための模式図である。ここでは、電波を送信する場合の動作原理について説明する。基本的な動作原理は、電波を受信する場合も送信する場合と同様である。
【００２６】
無線ＬＡＮ＿ＬＳＩ１１６が高周波スイッチ１１５を制御することで、アンテナ素子１１１と交流電源１２７とが図３のように電気的に接続されたとする。この場合には、アンテナ素子１１１は、１／４波長モノポールアンテナとして機能する。この場合、交流電源１２７から出力された信号は、入出力端子１２６、高周波スイッチ１１５、及びコプレーナ線路１１３を経由し、アンテナ素子１１１から電波として放射される。この電波は、１／４周期の時間を経て、アンテナ素子１１２の周囲に電界＋Ｅを形成する。その結果、アンテナ素子１１２の先端部分には、電界＋Ｅと位相が１８０度異なる電界−ｅが誘起される。
【００２７】
一方、アンテナ素子１１１と交流電源１２７とが図３のように電気的に接続されている場合、コプレーナ線路１１４の高周波スイッチ１１５側の先端部分は開放状態である。また、上述した通り、コプレーナ線路１１４の電気長は、アンテナ素子１１２の電気長と同一の１／４波長である。また、上述した通り、アンテナ素子１１２の先端部分には電界−ｅが誘起されている。従って、コプレーナ線路１１４の高周波スイッチ１１５側の先端部分には電界−ｅと位相が１８０度異なる電界＋ｅが誘起される。
【００２８】
アンテナ素子１１２の周囲の電界は、アンテナ素子１１１から放射される電波の周期に応じて変化する。つまり、アンテナ素子１１２の周囲の電界は、電界＋Ｅと電界−Ｅとに周期的に変化する。その結果、アンテナ素子１１２に誘起される電界も電界−ｅと電界＋ｅとに周期的に変化する。
【００２９】
すなわち、アンテナ素子１１２とコプレーナ線路１１４とは、１／２波長ダイポールアンテナとして機能する。この１／２波長ダイポールアンテナは、アンテナ素子１１１から放射された電波を再放射する反射素子として機能する。
【００３０】
この場合、アンテナシステム１１０が全体としてどのような電波を放射するかについて図４を用いて説明する。アンテナ素子１１１からアンテナ素子１１２側に放射された電波１２９は、アンテナ素子１１２とコプレーナ線路１１４とからなる１／２波長ダイポールアンテナで反射される。反射された電波１３０は、アンテナ素子１１１からアンテナ素子１１２と反対側に放射された電波１３１と同位相となる。その結果、電波１３０と電波１３１とは、お互いを強めあい電波１３２となる。つまり、アンテナシステム１１０の指向性は、アンテナ素子１１２からアンテナ素子１１１へと向かう方向を示す。
【００３１】
なお、無線ＬＡＮ＿ＬＳＩ１１６が高周波スイッチ１１５を制御することで、アンテナ素子１１２と交流電源１２７とが電気的に接続されたとする。この場合には、アンテナ素子１１１とコプレーナ線路１１３とが１／２波長ダイポールアンテナとして機能する。つまり、アンテナ素子１１１とコプレーナ線路１１３とが反射素子となる。その結果、アンテナシステム１１０の指向性は、アンテナ素子１１１からアンテナ素子１１２へと向かう方向を示す。
【００３２】
１−２−４．本実施形態に係るアンテナシステムの指向性特性
本実施形態に係るアンテナシステムの指向性特性について図５を用いて説明する。図５は、指向性に関するシミュレーション結果を示す図である。なお、図５は、無線ＬＡＮ＿ＬＳＩ１１６が高周波スイッチ１１５を制御することで、アンテナ素子１１１と交流電源１２７とが図３のように電気的に接続された場合のシミュレーション結果を示している。
【００３３】
図５を参照すると、アンテナ素子１１２、及びコプレーナ線路１１４が、良好な反射素子として機能していることがわかる。つまり、アンテナシステム１１０の指向性は、アンテナ素子１１２からアンテナ素子１１１に向かう方向、つまり左へ傾いている。そして、アンテナ素子１１２からアンテナ素子１１１に向かう方向へは、約１（ｄＢｄ）のゲインを得ている。一方、アンテナ素子１１１からアンテナ素子１１２へ向かう方向、つまり右方向については、アンテナ素子１１１及びアンテナ素子１１２から放射された電波がお互い打ち消しあう。その結果、アンテナ素子１１１からアンテナ素子１１２へ向かう方向へは、−１５（ｄＢｄ）という低いゲインを示している。つまり、本実施形態に係るアンテナシステム１１０は、ＦＢ比約１６（ｄＢ）の指向性アンテナとなる。
【００３４】
１−３．比較対象のアンテナシステム
１−３−１．比較対象のアンテナシステムの構成
次に、本実施形態に係るアンテナシステム１１０と比較する対象のアンテナシステムの構成について図６を用いて説明する。図６は、比較対象のアンテナシステムの構成を示す模式図である。
【００３５】
アンテナシステム１４０は、アンテナシステム１１０と比較して、コプレーナ線路１４３、及びコプレーナ線路１４４の電気長が異なる。アンテナシステム１１０において、コプレーナ線路１１３、及びコプレーナ線路１１４の電気長が１／４波長であったのに対して、アンテナシステム１４０において、コプレーナ線路１４３、及びコプレーナ線路１４４の電気長は０．０９λである。
【００３６】
１−３−２．比較対象のアンテナシステムの動作原理
比較対象のアンテナシステムの動作原理について図７を用いて説明する。図７は、比較対象のアンテナシステムの動作原理を説明するための模式図である。ここでは、電波を送信する場合の動作原理について説明する。基本的な動作原理は、電波を受信する場合も送信する場合と同様である。
【００３７】
まず、無線ＬＡＮ＿ＬＳＩ１１６が高周波スイッチ１１５を制御して、アンテナ素子１１１と交流電源１２７とがコプレーナ線路１４３を介して電気的に接続されている場合を考える。この場合には、アンテナ素子１１１は、１／４波長モノポールアンテナとして機能する。この場合、交流電源１２７から出力された信号は、入出力端子１２６、高周波スイッチ１１５、及びコプレーナ線路１４３を経由し、アンテナ素子１１１から電波として放射される。この電波は、１／４周期の時間を経て、アンテナ素子１１２の周囲に電界＋Ｅを形成する。その結果、アンテナ素子１１２の先端部分には、電界−ｅが誘起される。
【００３８】
しかしながら、コプレーナ線路１４４の高周波スイッチ１１５側の先端部分には、電界＋ｅが誘起されず、電界＋ｅ´が誘起されることとなる。なお、電界＋ｅ´の絶対値は、電界＋ｅの絶対値よりも小さい。これは、コプレーナ線路１４４の電気長（０．０９λ）がアンテナ素子１１２のグランドからの電気長（１／４波長）よりも短いからである。従って、アンテナ素子１１２の先端部分の位相と、コプレーナ線路１４４の高周波スイッチ１１５側の先端部分の位相とが１／２波長よりもずれてしまう。その結果、アンテナ素子１１２とコプレーナ線路１４４とは、１／２波長ダイポールアンテナとして上手く機能しない。そして、アンテナ素子１１２とコプレーナ線路１４４とは、反射素子としても上手く機能しないこととなる。
【００３９】
１−３−３．比較対象のアンテナシステムの指向性特性
比較対象のアンテナシステムの指向性特性について図８を用いて説明する。図８は、比較対象のアンテナシステムの指向性に関するシミュレーション結果を示す図である。なお、図８は、無線ＬＡＮ＿ＬＳＩ１１６が高周波スイッチ１１５を制御することで、アンテナ素子１１１と交流電源１２７とが図７のように電気的に接続された場合のシミュレーション結果を示している。
【００４０】
図８を参照すると、アンテナ素子１１２、及びコプレーナ線路１４４が、反射素子として良好に機能していないことがわかる。つまり、アンテナシステム１４０がほとんど指向性を示していないことがわかる。
【００４１】
１−４．作用、効果
このように、本実施形態に係るアンテナシステムは、受信若しくは送信する電波の略１／４波長の電気長を有するアンテナ素子１１１と、アンテナ素子１１１と略１／４波長離れた位置に配置され、略１／４波長の電気長を有するアンテナ素子１１２と、アンテナ素子１１１、及びアンテナ素子１１２に給電可能な交流電源１２７と、アンテナ素子１１１と交流電源１２７とが電気的に接続された状態、及びアンテナ素子１１２と交流電源１２７とが電気的に接続された状態、の２つの状態の何れか一方の状態を選択可能であり、２つの状態を切り換え可能な高周波スイッチ１１５と、高周波スイッチ１１５とアンテナ素子１１１とを電気的に接続するコプレーナ線路１１３と、高周波スイッチ１１５とアンテナ素子１１２とを電気的に接続するコプレーナ線路１１４と、を備え、コプレーナ線路１１３の電気長と、コプレーナ線路１１４の電気長とは、略１／４波長の電気長である。
【００４２】
また、本実施形態に係るアンテナシステムは、受信若しくは送信する電波の略１／４波長の電気長を有するアンテナ素子１１１と、アンテナ素子１１１と略１／４波長離れた位置に配置され、略１／４波長の電気長を有するアンテナ素子１１２と、アンテナ素子１１１、及びアンテナ素子１１２に給電可能な交流電源１２７と、アンテナ素子１１１を１／４波長モノポールアンテナとして機能させ、かつアンテナ素子１１２を１／２波長ダイポールアンテナとして機能させる状態、及びアンテナ素子１１１を１／２波長ダイポールアンテナとして機能させ、かつアンテナ素子１１２を１／４波長モノポールアンテナとして機能させる状態、の２つの状態の何れか一方の状態を選択可能であり、２つの状態を切り替え可能な高周波スイッチ１１５と、高周波スイッチ１１５とアンテナ素子１１１とを電気的に接続するコプレーナ線路１１３と、高周波スイッチ１１５とアンテナ素子１１２とを電気的に接続するコプレーナ線路１１４と、を備え、コプレーナ線路１１３の電気長と、コプレーナ線路１１４の電気長とは、略１／４波長の電気長であるともいえる。
【００４３】
これにより、交流電源１２７と電気的に接続されている方のアンテナ素子は１／４波長モノポールアンテナとして機能する。一方、交流電源１２７と電気的に接続されていない方のアンテナ素子は１／２波長ダイポールアンテナとして機能する。そして、１／２波長ダイポールアンテナとして機能している方のアンテナ素子は、１／４波長モノポールアンテナとして機能している他方のアンテナ素子から放射された電波を反射する反射素子として上手く機能する。その結果、本実施形態に係るアンテナシステムは、ダイバーシティ機能を有し、かつ、比較的小型の状態でより高い指向性を有する。
【００４４】
２．実施形態２
本開示の技術を無線ＬＡＮに用いられるアンテナシステムに適用した実施形態２について図面を用いて説明する。
【００４５】
２−１．本実施形態に係るアンテナシステムの構成
本実施形態に係るアンテナシステムの構成について図９を用いて説明する。図９は、本実施形態にかかるアンテナシステムの構成を示す模式図である。本実施形態に係るアンテナシステムは、周波数が２．４（ＧＨｚ）及び５（ＧＨｚ）の２種類の電波に対して共振するデュアルバンドアンテナシステムである。
【００４６】
アンテナシステム７００は、アンテナ素子７１１、アンテナ素子７１２、コプレーナ線路７１３、コプレーナ線路７１４、高周波スイッチ７１５、インダクタンス７１６、インダクタンス７１７、入出力端子７１９、及び交流電源７１８を有する。
【００４７】
ここで、アンテナ素子７１１のグランドからＡまでの電気長は、周波数が５（ＧＨｚ）の電波の１／４波長となっている。また、アンテナ素子７１１のグランドから先端部分までの電気長は、周波数が２．４（ＧＨｚ）の電波の１／４波長となっている。また、アンテナ素子７１２のグランドからＢまでの電気長は、周波数が５（ＧＨｚ）の電波の１／４波長となっている。また、アンテナ素子７１２のグランドから先端部分までの電気長は、周波数が２．４（ＧＨｚ）の電波の１／４波長となっている。また、アンテナ素子７１２は、アンテナ素子７１１から、周波数が２．４（ＧＨ）の電波の１／４波長離れた位置に配置されている。つまり、アンテナ素子７１２は、アンテナ素子７１１から、周波数が５（ＧＨｚ）の電波の約１／２波長離れた位置に配置されているともいえる。また、コプレーナ線路７１３、及びコプレーナ線路７１４の電気長は、周波数が２．４（ＧＨｚ）の電波（デュアルバンドのうちの低周波側の電波）の１／４波長である。
【００４８】
ここで、コプレーナ線路７１３にはインダクタンス７１６が挿入されている。また、コプレーナ線路７１４にはインダクタンス７１７が挿入されている。各インダクタンスは、周波数が２．４（ＧＨｚ）の電波（デュアルバンドのうちの低周波側の電波）にとってインピーダンスが低くなるように調整されている。また、各インダクタンスは、周波数が５（ＧＨｚ）の電波（デュアルバンドのうちの高周波側の電波）にとってインピーダンスが高くなるように調整されている。
【００４９】
そして、各アンテナ素子から各インダクタンスまでの電気長は、アンテナ素子７１１、及びアンテナ素子７１２間で１／４波長からずれた位相を補正する電気長となるように調整されている。つまり、コプレーナ線路７１３は、インダクタンス７１６により、２種類の波長の電波に対応した電気長に分割されているといえる。また、コプレーナ線路７１４は、インダクタンス７１７により、２種類の波長の電波に対応した電気長に分割されているといえる。
【００５０】
２−２．用語の対応
インダクタンス７１６は第１のインダクタンスの一例である。インダクタンス７１７は第２のインダクタンスの一例である。アンテナ素子７１１は第１のアンテナ素子の一例である。アンテナ素子７１２は第２のアンテナ素子の一例である。
【００５１】
２−３．作用、効果
このように、本実施形態に係るアンテナシステムは、実施形態１に係るアンテナシステムと異なる点として、コプレーナ線路７１３に挿入されたインダクタンス７１６と、コプレーナ線路７１４に挿入されたインダクタンス７１７と、をさらに備え、アンテナ素子７１１と、アンテナ素子７１２とは、２種類の波長の電波に対応した２つの領域からなっており、コプレーナ線路７１３は、インダクタンス７１６により、２種類の波長の電波（２．４ＧＨｚの電波と５ＧＨｚの電波）に対応した電気長に分割され、コプレーナ線路７１４は、インダクタンス７１７により、２種類の波長の電波に対応した電気長に分割される。
【００５２】
これにより、交流電源７１８と電気的に接続されている方のアンテナ素子は、２種類の周波数に対応可能な１／４波長モノポールアンテナとして機能する。一方、交流電源７１８と電気的に接続されていない方のアンテナ素子は、２種類の周波数に対応可能な１／２波長ダイポールアンテナとして機能する。そして、１／２波長ダイポールアンテナとして機能している方のアンテナ素子は、１／４波長ダイポールアンテナとして機能している他方のアンテナ素子から放射される２種類の周波数の電波を反射可能な反射素子として上手く機能する。その結果、本実施形態にかかるアンテナシステムは、ダイバーシティ機能を有し、かつ比較的小型の状態でより高い指向性を有するデュアルバンドアンテナシステムを実現できる。
【００５３】
３．他の実施形態
以上のように、本出願において開示する技術の例示として、実施形態１、２を説明した。しかしながら、本開示における技術は、これに限定されず、適宜、変更、置き換え、付加、省略などを行った実施形態にも適用可能である。また、上記実施形態１、２で説明した各構成要素を組み合わせて、新たな実施形態とすることも可能である。
【００５４】
そこで、以下、他の実施の形態を例示する。
【００５５】
実施形態１において、アンテナ素子１１１、及びアンテナ素子１１２の電気長は、受信又は送信する電波の１／４波長とすることとした。しかしながら、必ずしもこのような構成に限定されない。例えば、アンテナ素子１１１、及びアンテナ素子１１２の電気長は、受信又は送信する電波の１／４波長から多少ずれてもよい。要するに、アンテナ素子１１１、及びアンテナ素子１１２の電気長は、受信又は送信する電波の略１／４波長といえればよい。
【００５６】
また、実施形態１において、コプレーナ線路１１３、及びコプレーナ線路１１４の電気長は、受信又は送信する電波の１／４波長とすることとした。しかしながら、必ずしもこのような構成に限定されない。例えば、コプレーナ線路１１３、及びコプレーナ線路１１４の電気長は、受信又は送信する電波の１／４波長から多少ずれてもよい。要するに、コプレーナ線路１１３、及びコプレーナ線路１１４の電気長は、受信又は送信する電波の略１／４波長といえればよい。
【００５７】
また、実施形態１において、コプレーナ線路１１３、及びコプレーナ線路１１４は、コプレーナ線路とした。しかしながら、必ずしもこのような構成に限定されない。例えば、マイクロストリップラインで構成してもよい。要するに、給電線路であればどのような構成であってもよい。
【００５８】
以上のように、本開示における技術の例示として、実施形態を説明した。そのために、添付図面および詳細な説明を提供した。
【００５９】
従って、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６０】
また、上述の実施形態は、本開示における技術を例示するためのものであるから、特許請求の範囲またはその均等の範囲において種々の変更、置き換え、付加、省略などを行うことができる。
【産業上の利用可能性】
【００６１】
本開示の技術は、無線ＬＡＮモジュールに用いられるアンテナ等に適用できる。
【符号の説明】
【００６２】
１００    基板
１１０    アンテナシステム
１１１    アンテナ素子
１１２    アンテナ素子
１１３    コプレーナ線路
１１４    コプレーナ線路
１１５    高周波スイッチ
１１６    無線ＬＡＮ＿ＬＳＩ
１２６    入出力端子
１２７    交流電源
１２９    電波
１３０    電波
１３１    電波
１３２    電波
１４０    アンテナシステム
１４３    コプレーナ線路
１４４    コプレーナ線路
７００    アンテナシステム
７１１    アンテナ素子
７１２    アンテナ素子
７１３    コプレーナ線路
７１４    コプレーナ線路
７１５    高周波スイッチ
７１６    インダクタンス
７１７    インダクタンス
７１８    交流電源
７１９    入出力端子
【図１】
2014075725.tif 000003
【図２】
2014075725.tif 000004
【図３】
2014075725.tif 000005
【図４】
2014075725.tif 000006
【図５】
2014075725.tif 000007
【図６】
2014075725.tif 000008
【図７】
2014075725.tif 000009
【図８】
2014075725.tif 000010
【図９】
2014075725.tif 000011